(57)【特許請求の範囲】
【請求項１】
流入口と流出口を有する弁ケーシング内に流入口と流出口が連通する弁室を形成し、流入口と弁室の間に弁口を有する環状弁座を設け、環状弁座に離着座して弁口を開閉する弁体を弁室内に配置し、弁体と一体に弁棒を形成し、弁ケーシングに形成したガイド孔により弁棒の外周を摺動自在に案内し、常時は弁体が環状弁座に着座して弁口を閉弁し流入口の圧力が流出口の圧力に比べて設定圧力値よりも高くなると弁体が環状弁座から離座して弁口を開弁するものにおいて、ガイド孔の外部側に弁体及び弁棒の重量を測定する重量測定手段の計測部が挿入される開口を設け、リリーフ弁の運転時は開口が閉塞部材で閉塞され弁体及び弁棒の重量測定時に閉塞部材が取外されて開口から重量測定手段の計測部が挿入されることを特徴とするリリーフ弁。
【発明の詳細な説明】
【技術分野】
【０００１】
本発明は、流体配管や流体機器等の流体配管系に接続して流入口の圧力が流出口の圧力に比べて設定圧力値よりも高くなると開弁するリリーフ弁に関し、特に弁体及び弁棒の重量を測定できるものに関する。
【背景技術】
【０００２】
従来のリリーフ弁は、例えば特許文献１に開示されている。これは、流入口と流出口を有する弁ケーシング内に流入口と流出口が連通する弁室を形成し、流入口と弁室の間に弁口を有する環状弁座を設け、環状弁座に離着座して弁口を開閉する弁体を弁室内に配置し、弁体と一体に弁棒を形成し、弁ケーシングに形成したガイド孔により弁棒の外周を摺動自在に案内し、常時は弁体が環状弁座に着座して弁口を閉弁し流入口の圧力が流出口の圧力に比べて設定圧力値よりも高くなると弁体が環状弁座から離座して弁口を開弁するものである。
【先行技術文献】
【特許文献】
【０００３】
【特許文献１】特開２００９−１２１６１１
【発明の概要】
【発明が解決しようとする課題】
【０００４】
上記従来のリリーフ弁は、流体中のゴミやスケール等の異物を弁体と環状弁座の間や弁棒とガイド孔の間に噛み込むと弁体及び弁棒の変位抵抗が大きくなるために所定の設定圧力値で開閉弁動作を行えなくなるという問題点があった。
【０００５】
したがって本発明が解決しようとする課題は、弁体及び弁棒の変位抵抗が大きくなっているか否かを簡単な構造により確認できるリリーフ弁を提供することである。
【課題を解決するための手段】
【０００６】
上記の課題を解決するために、本発明のリリーフ弁は、流入口と流出口を有する弁ケーシング内に流入口と流出口が連通する弁室を形成し、流入口と弁室の間に弁口を有する環状弁座を設け、環状弁座に離着座して弁口を開閉する弁体を弁室内に配置し、弁体と一体に弁棒を形成し、弁ケーシングに形成したガイド孔により弁棒の外周を摺動自在に案内し、常時は弁体が環状弁座に着座して弁口を閉弁し流入口の圧力が流出口の圧力に比べて設定圧力値よりも高くなると弁体が環状弁座から離座して弁口を開弁するものにおいて、ガイド孔の外部側に弁体及び弁棒の重量を測定する重量測定手段の計測部が挿入される開口を設け、リリーフ弁の運転時は開口が閉塞部材で閉塞され弁体及び弁棒の重量測定時に閉塞部材が取外されて開口から重量測定手段の計測部が挿入されることを特徴とするものである。
【発明の効果】
【０００７】
本発明は、ガイド孔の外部側に弁体及び弁棒の重量を測定する重量測定手段の計測部が挿入される開口を設け、リリーフ弁の運転時は開口が閉塞部材で閉塞され弁体及び弁棒の重量測定時に閉塞部材が取外されて開口から重量測定手段の計測部が挿入されるものである。そのため、閉塞部材を取外して開口から重量測定手段を挿入し、重量測定手段により弁体及び弁棒の重量を測定することにより、測定された弁体及び弁棒の重量が初期の弁体及び弁棒の重量よりも増加していれば、弁体及び弁棒の変位抵抗が大きくなっていると確認することができる。
【図面の簡単な説明】
【０００８】
【図１】本発明の実施の形態に係わるリリーフ弁の断面図である。
【発明を実施するための形態】
【０００９】
以下、本発明の実施の形態について、図１を参照して説明する。本体１と蓋部材２から弁ケーシングを構成し、弁ケーシング内に弁室３を形成する。弁室３に連通する流入口４と流出口５を本体１に形成し、流入口４の弁室３側開口端に弁口６を有する環状弁座７を設ける。環状弁座７と一体にシリンダ８を形成する。環状弁座７とシリンダ８は本体１と蓋部材２の間に挟んで固定する。環状弁座７に離着座して弁口６を開閉する円板状の弁体９を環状弁座５に対向して弁室３内に配置する。弁体９はその下面から突出させて設けた下部弁棒１０と上面から突出させて設けた上部弁棒１１を一体に有する。下部弁棒１０の外周を本体１に一体に形成した下部ガイド孔１２により摺動自在に案内し、上部弁棒１１の外周を蓋部材２に一体に形成した上部ガイド孔１３により摺動自在に案内する。下部ガイド孔１２の外部側に弁体９及び下部弁棒１０、上部弁棒１１の重量を測定する重量測定手段（図示せず）の計測部が挿入される下部開口１６を設ける。下部開口１６はリリーフ弁の運転時に閉塞部材としての下部プラグ１７で閉塞され、弁体９及び下部弁棒１０、上部弁棒１１の重量測定時に下部プラグ１７が取外されて重量測定手段の計測部が挿入される。重量測定手段により下部弁棒１０を押し上げることにより弁体９及び下部弁棒１０、上部弁棒１１の重量を測定する。上部ガイド孔１３の外部側に弁体９及び下部弁棒１０、上部弁棒１１の重量を測定する重量測定手段（図示せず）の計測部が挿入される上部開口１８を設ける。上部開口１８はリリーフ弁の運転時に閉塞部材としての上部プラグ１９で閉塞され、弁体９及び下部弁棒１０、上部弁棒１１の重量測定時に上部プラグ１９が取外されて重量測定手段の計測部が挿入される。重量測定手段の計測部をねじやフックにより上部弁棒１１に連結して重量測定手段により上部弁棒１１を吊り上げることにより弁体９及び下部弁棒１０、上部弁棒１１の重量を測定する。本実施の形態においては、下部開口１６，下部プラグ１７と上部開口１８，上部プラグ１９の両方を設けたものを例示したが、下部開口１６，下部プラグ１７あるいは上部開口１８，上部プラグ１９のいずれか一方のみを設けることも可能である。
【００１０】
シリンダ８は弁体９の外周を弁口６の軸方向に摺動案内し、弁体９が環状弁座７から離座して所定量開弁方向に変位したときに開口される複数個の例えば４個の流出窓１４を有する。流出窓１４の幅は弁体の開弁方向への変位が大きくなるにしたがって広くなるように下方程狭く上方程広く形成する。シリンダの上端部に内外を連通する常開窓１５を複数個例えば４個形成する。常開窓１５により弁体９の上方のシリンダ８内の圧力をシリンダ８外に逃がすことができ、弁体９の上方のシリンダ８内が圧力溜まりとなることを防止する。常時は弁体９が環状弁座７に着座して弁口６を閉弁し流入口４の圧力が流出口５の圧力に比べて設定圧力値よりも高くなると弁体９が環状弁座７から離座して弁口６を開弁すると共に弁体９が所定量開弁方向に変位して流出窓１４を開口する。
【００１１】
図示の状態は流入口４の圧力が流出口５の圧力に比べて設定圧力値よりも低い常時であり、弁体９が環状弁座７に着座して弁口６を閉弁している。流入口４の圧力が流出口５の圧力に比べて設定圧力値よりも高くなると弁体９が環状弁座７から離座して弁口６を開弁すると共に弁体９が所定量開弁方向に変位して流出窓１４を開口する。これにより、流体が流入口４から弁口６、流出窓１４を通して流出口５へ流れる。流体が流入口４から流出口５へ流れると流入口４と流出口５の圧力差が設定圧力値よりも低くなり弁体９が閉弁方向に変位して流出窓１４を閉口し、弁体９が流出窓１４を閉口すると流出口５の圧力が低下して流入口４の圧力が流出口５の圧力に比べて設定圧力値よりも高くなり再び弁体９が開弁方向に変位して流出窓１４を開口し、流出窓１４の開閉を繰り返す。そのため、弁体９が環状弁座７に着座することを繰り返さないので騒音を低減できる。また、流出窓１４の幅を弁体９の開弁方向への変位が大きくなるにしたがって広くなるように形成しているので、弁体９の開弁方向への変位が小さいときは流入口４から流出口５へ流れる流体をより少なくすることができ、弁体９が環状弁座７に繰り返し着座することを確実に防止することができる。また、シリンダ８の上部に内外を連通する常開窓１５を形成しているので、弁体９の上方のシリンダ８内の圧力をシリンダ８外に逃がすことができ、弁体９の上方のシリンダ８内が圧力溜まりとなることを防止することができる。
【００１２】
弁体９及び下部弁棒１０、上部弁棒１１の変位抵抗が大きくなっているか否かを確認するときは、下部プラグ１７あるいは上部プラグ１９を取外し、下部開口１６あるいは上部開口１８から重量測定手段の計測部が挿入し、重量測定手段により下部弁棒１０を押し上げるあるいは上部弁棒１１を吊り上げることにより弁体９及び下部弁棒１０、上部弁棒１１の重量を測定する。
【産業上の利用可能性】
【００１３】
本発明は、流体配管や流体機器等の流体配管系に接続して流入口の圧力が流出口の圧力に比べて設定圧力値よりも高くなると開弁するリリーフ弁に利用することができる。
【符号の説明】
【００１４】
１  本体
２  蓋部材
３  弁室
４  流入口
５  流出口
６  弁口
７  環状弁座
８  シリンダ
９  弁体
１０  下部弁棒
１１  上部弁棒
１２  下部ガイド孔
１３  上部ガイド孔
１４  流出窓
１５  常開窓
１６  下部開口
１７  下部プラグ
１８  上部開口
１９  上部プラグ
【図１】
0005758210.tif 000002